(57)【要約】【課題】消費電力を容易に認識できる。【解決手段】実施形態の情報表示装置は、受信部と、表示制御部と、を備える。受信部は、機器から、空間毎又は電子機器毎の消費電力を示した情報を受信する。表示制御部は、空間毎又は電子機器毎に消費電力を表すアニメーションを表示すると共に、消費電力の違いをアニメーション速度の違いとして表示する。【選択図】図３
2015046981.tif 000002
【特許請求の範囲】
【請求項１】
機器から、空間毎又は電子機器毎の消費電力を示した情報を受信する受信部と、
前記空間毎又は前記電子機器毎に消費電力を表すアニメーションを表示すると共に、消費電力の違いをアニメーション速度の違いとして表示する表示制御部と、
を備える情報表示装置。
【請求項２】
前記表示制御部は、前記消費電力の違いを、アニメーションさせる表示情報の回転速度の違いとして表示する、
請求項１に記載の情報表示装置。
【請求項３】
前記受信部は、前記機器から、建物内部を隔てた空間毎又は電子機器を接続するコンセント毎に設けられた、分電盤の分岐ブレーカー毎の消費電力を受信する、
請求項１又は２に記載の情報表示装置。
【請求項４】
前記受信部は、電子機器から、通信ネットワークを介して、当該電子機器の消費電力を受信する、
請求項１乃至３のいずれか１つに記載の情報表示装置。
【請求項５】
前記表示制御部は、前記受信部が通信ネットワークを介して受信した電子機器毎の消費電力を表すアニメーションと、前記受信部が計測機器から受信した、建物内部を隔てた空間毎又は電子機器を接続するコンセント毎に設けられた分岐ブレーカー毎の消費電力を表すアニメーションとを表示する、
請求項１又は２に記載の情報表示装置。
【請求項６】
前記表示制御部が表示する、電子機器毎の消費電力を表すアニメーションと、前記分岐ブレーカー毎の消費電力を表すアニメーションと、では、アニメーション速度の基準となる消費電力が異なる、
請求項５に記載の情報表示装置。
【請求項７】
前記表示制御部は、前記空間毎又は前記電子機器毎に消費電力を表すアニメーションと共に、消費電力を表す数値を表示し、所定の電子機器についてアニメーションのみ表示し、消費電力を表す数値を表示しない、
請求項１又は２に記載の情報表示装置。
【請求項８】
前記表示制御部は、前記空間毎又は前記電子機器毎に消費電力を表すアニメーションを表示させる際に、当該アニメーションの初期位置を一致させる、
請求項１乃至７のいずれか１つに記載の情報表示装置。
【請求項９】
前記表示制御部は、消費電力の違いに応じて、アニメーションとして表示する色を異ならせる、
請求項１乃至８のいずれか１つに記載の情報表示装置。
【請求項１０】
機器から、空間毎又は電子機器毎の消費電力を示した情報を受信する受信ステップと、
前記空間毎又は前記電子機器毎に消費電力を表すアニメーションを表示すると共に、消費電力の違いをアニメーション速度の違いとして表示する表示ステップと、
をコンピュータに実行させるためのプログラム。
【請求項１１】
複数の電子機器又は空間毎の消費電力を計測する計測機器と、複数の電子機器又は計測機器と通信可能な情報表示装置と、で構成される表示システムにおいて、
前記情報表示装置が、
前記電子機器毎に当該電子機器の消費電力を示した情報を受信する、又は前記計測機器から空間毎の消費電力を示した情報を受信する受信部と、
前記空間毎又は前記電子機器毎に消費電力を表すアニメーションを表示すると共に、消費電力の違いをアニメーション速度の違いとして表示する表示制御部と、
を備える表示システム。
【請求項１２】
前記表示制御部は、前記消費電力の違いを、アニメーションさせる表示情報の回転速度の違いとして表示する、
請求項１１に記載の表示システム。
【発明の詳細な説明】
【技術分野】
【０００１】
本発明の実施形態は、情報表示装置、プログラム、及び表示システムに関する。
【背景技術】
【０００２】
従来から、家庭や店舗などの電力需要家内における、電子機器等のエネルギー管理システムとして、ＨＥＭＳ（Home  Energy  Management  System）が知られている。このＨＥＭＳでは、消費電力の数値をグラフ等から読み取る必要があり、直感的に認識できなかった。
【０００３】
近年、発電量や使用電力量などの生活情報をアニメーションとして表示する技術が提案されている。ユーザは、当該アニメーションを見ることで、生活情報を認識できる。
【先行技術文献】
【特許文献】
【０００４】
【特許文献１】特開２００２−２９７２２９号公報
【発明の概要】
【発明が解決しようとする課題】
【０００５】
従来技術においては、アニメーション表示の対象は屋内の総発電量や総使用電力量に限られている。しかしながら、省エネルギーに対する要求の高まりから、電子機器や部屋単位等、個別に消費電力を確認したいという要求が高くなる傾向にある。
【０００６】
本発明は、上記に鑑みてなされたものであって、消費電力を容易に認識できる情報表示装置、プログラム、及び表示システムを提供することを目的とする。
【課題を解決するための手段】
【０００７】
実施形態の情報表示装置は、受信部と、表示制御部と、を備える。受信部は、機器から、空間毎又は電子機器毎の消費電力を示した情報を受信する。表示制御部は、空間毎又は電子機器毎に消費電力を表すアニメーションを表示すると共に、消費電力の違いをアニメーション速度の違いとして表示する。
【図面の簡単な説明】
【０００８】
【図１】図１は、実施形態にかかるエネルギー管理システムの例を示した図である。
【図２】図２は、実施形態にかかる情報表示装置のハードウェア構成の一例を示すブロック図である。
【図３】図３は、実施形態にかかる情報表示装置上で実行される情報表示アプリケーション３００の構成を示したブロック図である。
【図４】図４は、実施形態にかかる表示制御部による、家電毎及び部屋毎の消費電力を表したアニメーションの表示例を示した図である。
【図５】図５は、実施形態にかかる表示制御部が表示する、丸形のアイコン画像の回転アニメーションの例を示した図である。
【図６】図６は、“家電モニター”ボタンの押下を受け付けた場合に、実施形態にかかる表示制御部が表示する家電毎の消費電力を表したアニメーションの表示例を示した図である。
【図７】図７は、設定ボタンの押下を受け付けた場合に、実施形態にかかる表示制御部が表示する機器設定画面の例を示した図である。
【図８】図８は、実施形態にかかる情報表示装置及びエネルギー計測装置における、消費電力を表示するまでの処理の手順を示すフローチャートである。
【図９】図９は、実施形態にかかる情報表示装置及び複数の家電機器における消費電力を表示するまでの処理の手順を示すフローチャートである。
【発明を実施するための形態】
【０００９】
図１は、実施形態にかかるエネルギー管理システムの例を示した図である。図１に示す例では、ユーザは、住宅内で情報表示装置１００を参照することで、住宅内の消費電力を認識できる。図１に示す例では、住宅内に、空調装置１５１、照明機器１５２、及び分電盤１６０ａとエネルギー計測装置１６０ｂとの組み合わせ１６０が設置されている。なお、本実施形態は、住宅の部屋毎の消費電力や、各部屋に設けられた家電機器等の消費電力を表示する例について説明するが、消費電力の計測対象を住宅に制限するものではなく、マンションや工場など、電子機器が設置可能な空間であれば良い。
【００１０】
本実施形態は、情報表示装置１００として、タブレット端末を提供する例について説明するが、タブレット端末に制限するものではなく、ＰＣ、スマートフォン等の通信するためのインターフェースを備えた情報表示装置であれば良い。
【００１１】
本実施形態の情報表示装置１００、空調装置１５１、照明機器１５２、及びエネルギー計測装置１６０ｂは、Ｂｌｕｅｔｏｏｔｈ（登録商標）若しくはＷｉ−Ｆｉ（例えば、IEEE802.11b/g/n、IEEE802.15.4）等の無線通信インターフェース、又はＥｔｈｅｒｎｅｔ（登録商標）などの有線通信インターフェースを備え、通信可能とする。情報表示装置１００と、空調装置１５１、照明機器１５２、又はエネルギー計測装置１６０ｂと、の間で行われる通信は、上層レイヤーの通信プロトコルとしてＥＣＨＯＮＥＴ  Ｌｉｔｅ通信プロトコルを用いる。
【００１２】
ＥＣＨＯＮＥＴ  Ｌｉｔｅ通信プロトコルとは、ＨＥＭＳ(home  energy  management  system)と称する家庭用のエネルギー管理システムにおいて、家庭内の設定機器等を一元的に管理するために提案されたプロトコルである。なお、本実施形態は、機器間の通信に用いるプロトコルをＥＣＨＯＮＥＴ  Ｌｉｔｅ通信プロトコルに制限するものではなく、他の通信プロトコルを用いても良い。
【００１３】
分電盤１６０ａは、住宅（建物）内部を隔てた部屋（空間）毎、及び家電機器（家庭用の電子機器）を接続するコンセント毎に、分岐ブレーカーが設けられている。そして、エネルギー計測装置１６０ｂは、分岐ブレーカー毎に設けられたセンサにより、分岐ブレーカー毎の消費電力を計測して、情報表示装置１００に分岐ブレーカー毎の消費電力を送信する。
【００１４】
情報表示装置１００の構成について説明する。図２は、実施形態にかかる情報表示装置１００のハードウェア構成の一例を示すブロック図である。図２に示す様に、実施形態にかかる情報表示装置１００は、ＣＰＵ（Central  Processing  Unit）２０１、システムコントローラ２０２、グラフィックスコントローラ２０３、タッチパネルコントローラ２０４、不揮発性メモリ２０５、ＲＡＭ（Random  Access  Memory）２０６、音声処理部２０７、表示装置２０８、接続部２１１、無線通信Ｉ／Ｆ２１２、電源回路２１３等を備えている。
【００１５】
本実施形態では、表示装置２０８は、タッチパネル２２１と、ＬＣＤ（Liquid  Crystal  Display）や有機ＥＬ（Electro  Luminescence）等の表示画面（ディスプレイ）２２２と、を有している。タッチパネル２２１は、例えば表示画面２２２上に配置された当面の位置座標の検出機能を有している。そして、タッチパネル２２１は、例えば情報表示装置１００を把持したユーザの指によってタッチされた表示画面２２２の表示領域上の位置（タッチ位置）を検知することができる。このタッチパネル２２１の働きにより、表示画面２２２はいわゆるタッチスクリーンとして機能する。
【００１６】
システムコントローラ２０２には、不揮発性メモリ２０５及びＲＡＭ２０６をアクセス制御するメモリコントローラも内蔵されている。また、システムコントローラ２０２は、グラフィックスコントローラ２０３との通信を実行する機能も有している。さらに、システムコントローラ２０２には、情報表示装置１００が備える電池（図示しない）に蓄えられた電力を供給する電源回路２１３を制御するエンベデッドコントローラが集積されたマイクロコンピュータも内蔵されている。
【００１７】
グラフィックスコントローラ２０３は、情報表示装置１００のディスプレイモニタとして使用される表示画面２２２への画像の表示を制御する表示コントローラである。タッチパネルコントローラ２０４は、タッチパネル２２１を制御し、ユーザによってタッチされた表示画面２２２上のタッチ位置をタッチパネル２２１から取得し、位置座標データに変換し、システムコントローラ２０２を介して、ＣＰＵ２０１に出力する。
【００１８】
音声処理部２０７は、（図示しない）マイクより入力される音声信号に、デジタル変換、ノイズ除去、エコーキャンセル等の音声処理を施してＣＰＵ２０１へ出力する。また、音声処理部２０７は、ＣＰＵ２０１の制御のもとで、音声合成等の音声処理を施して生成した音声信号を（図示しない）スピーカへ出力し、スピーカによる音声出力を行う。
【００１９】
接続部２１１は、Ｅｔｈｅｒｎｅｔ（登録商標）などの有線ネットワークと接続可能な接続インターフェースとする。本実施形態にかかる情報表示装置１００は、有線ネットワークを介して家電機器１５１、１５２やエネルギー計測装置１６０ｂ等と接続しても良い。
【００２０】
無線通信Ｉ／Ｆ２１２は、Ｂｌｕｅｔｏｏｔｈ（登録商標）やＷｉ−Ｆｉ等を用いて、家電機器１５１、１５２やエネルギー計測装置１６０ｂ等と接続するための無線通信インターフェースとする。
【００２１】
ＣＰＵ２０１は、情報表示装置１００の動作を中央制御するプロセッサであり、システムコントローラ２０２を介して情報表示装置１００の各部を制御する。ＣＰＵ２０１は、不揮発性メモリ２０５からＲＡＭ２０６にロードされる、オペレーティングシステムを実行する。ＲＡＭ２０６は、情報表示装置１００のメインメモリとして、ＣＰＵ２０１がオペレーティングシステムや、プログラムを実行する際の作業領域を提供する。
【００２２】
ＣＰＵ２０１は、当該オペレーティングシステム上で、情報表示アプリケーションを実行する。図３は、本実施形態にかかる情報表示装置１００上で実行される情報表示アプリケーション３００の構成を示したブロック図である。図３に示す様に、情報表示アプリケーション３００は、操作受付部３０１と、送信制御部３０２と、受信制御部３０３と、表示制御部３０４と、を備える。
【００２３】
送信制御部３０２は、家電機器１５１、１５２やエネルギー計測装置１６０ｂに対して、無線通信Ｉ／Ｆ２１２等を介してデータを送信する。例えば、送信制御部３０２は、消費電力の取得要求を送信する。
【００２４】
本実施形態の情報表示装置１００には、消費電力の取得要求の送信先を表すＩＰアドレスと、の送信先の家電機器や分電盤を表す種類（型名）と、が予め登録されている。
【００２５】
本実施形態では、消費電力の取得要求に、ＥＣＨＯＮＥＴ  Ｌｉｔｅ通信プロトコルとして定められた命令を用いる。本実施形態の送信制御部３０２は、家電機器１５１、１５２やエネルギー計測装置１６０ｂが、消費電力を保持しているプロパティ（例えば、ＥＣＨＯＮＥＴ  オブジェクト）の取得要求を送信する。
【００２６】
受信制御部３０３は、家電機器１５１、１５２やエネルギー計測装置１６０ｂから、無線通信Ｉ／Ｆ２１２等を介してデータを受信する。例えば、受信制御部３０３は、家電機器１５１、１５２やエネルギー計測装置１６０ｂから、送信制御部３０２が送信した消費電力の取得要求に対応する、消費電力の取得応答を送信する。消費電力の取得応答には、家電機器毎又は部屋毎の消費電力を示した情報が含まれている。
【００２７】
表示制御部３０４は、表示装置２０８に、様々な情報を表示する。例えば、表示制御部３０４は、家電機器毎又は部屋毎の消費電力を表したアニメーションを表示する。図４は、表示制御部３０４による、家電毎及び部屋毎の消費電力を表したアニメーションの表示例を示した図である。図４に示される画面例では、“分電盤モニター”ボタン４２１と、“家電モニター”ボタン４２２と、設定ボタン４５１と、が配置されている。さらには、住宅全体の消費電力や発電している電力が示された表示欄４０１と、分電盤の分岐ブレーカー毎に管理されている部屋毎及び家電機器毎の消費電力が示された表示欄４０２と、が示されている。
【００２８】
表示欄４０２には、エネルギー計測装置１６０ｂが測定した住宅内に設置された分電盤１６０ａの分岐ブレーカー毎の消費電力が表されている。具体的には、表示欄４０２には、分電盤１６０ａの分岐ブレーカーが割り当てられている家電機器“エアコン２”、“エアコン３”毎の消費電力が表されている。さらには、表示欄４０２には、分電盤１６０ａの分岐ブレーカーが割り当てられている部屋“洗面所”、“洋室”、“書斎”、“和室”、“洗面所”、“納屋”、“ベランダ”、“勝手口”毎の消費電力が表されている。
【００２９】
表示欄４０２には、分電盤１６０ａの分岐ブレーカー毎に割り当てられた名称と、アニメーション表示と、消費電力の数値と、が表されている。例えば、和室の欄には、名称“和室”４１３と、アニメーション表示４１２と、消費電力の数値４１１とが表されている。
【００３０】
そして、表示制御部３０４は、部屋毎及び家電機器毎の消費電力の違いをアニメーション速度の違いとして表示する。本実施形態の表示制御部３０４は、消費電力を表した丸形のアイコン画像を回転アニメーションとして表示させる。回転速度は、消費電力の絶対値が小さい場合に回転速度を遅くし、消費電力の絶対値が大きくなるにつれて回転速度を段階的に速く表示させる。また、表示制御部３０４は、消費電力が０ｗもしくは非常に小さい値の場合には、丸形のアイコン画像の回転を動かさずに表示する。
【００３１】
図５は、表示制御部３０４が表示する、丸形のアイコン画像の回転アニメーションの例を示した図である。図５に示されるように、本実施形態では、消費電力の絶対値が大きくなるにつれて回転速度を段階的に速くするが、消費電力の絶対値が大きくなるにつれて回転速度を線形的又は指数的に速くしても良い。
【００３２】
図５の（Ａ）は、消費電力が０ｗ〜１０ｗの場合に表示される丸形のアイコン画像が示されている。（Ａ）で示される例では、丸形アイコンは初期位置５０１に存在し、所定の時間が経過した場合でも、丸形アイコンは位置５０３に存在する。このように、消費電力が０ｗ〜１０ｗの場合に、表示制御部３０４は、丸形アイコンを回転させず、アニメーション表示を行わない。
【００３３】
図５の（Ｂ）は、消費電力が１０ｗ〜１００ｗの場合に表示される丸形のアイコン画像が示されている。（Ｂ）で示される例では、丸形アイコンは初期位置５１１に存在し、所定の時間が経過した場合、丸形アイコンは位置５１３に移動する。このように、消費電力が１０ｗ〜１００ｗの場合に、丸形アイコンの回転アニメーションが表示される。
【００３４】
図５の（Ｃ）は、消費電力が１００ｗ〜１０００ｗの場合に表示される丸形のアイコン画像が示されている。（Ｃ）で示される例では、丸形アイコンは初期位置５２１に存在し、所定の時間が経過した場合、丸形アイコンは位置５２３に移動する。図５の（Ｃ）で示される例では、図５の（Ｂ）と比べて移動距離が長いため、消費電力が１００ｗ〜１０００ｗの場合に、丸形アイコンのアニメーションでは回転速度が速いことが確認できる。
【００３５】
さらに、図５の（Ａ）のアニメーションの表示領域５０２と、図５の（Ｂ）のアニメーションの表示領域５１２と、図５の（Ｃ）のアニメーションの表示領域５２２と、はそれぞれ表示される色を異ならせている。このように本実施形態の表示制御部３０４は、消費電力の違いに応じて、アニメーション表示する色を異ならせている。
【００３６】
さらに、図５の（Ａ）の丸形アイコンの初期位置５０１と、図５の（Ｂ）の丸形アイコンの初期位置５１１と、図５の（Ｃ）の丸形アイコンの初期位置５２１と、が同じである。このように本実施形態の表示制御部３０４が、部屋毎又は家電機器毎に消費電力を表したアニメーションを表示する際に、最初に表示する丸形アイコンの初期位置を一致させる。初期位置を一致させることで、ユーザがアニメーションの視聴開始時に、消費電力の違いを容易に認識できる。
【００３７】
操作受付部３０１は、タッチパネル２２１を介した操作を受け付ける。例えば図４に示された画面例では、“家電モニター”ボタン４２２の押下を、家電モニターの表示操作として受け付ける。さらに、操作受付部３０１は、設定ボタン４５１の押下を、設定画面の表示操作として受け付ける。
【００３８】
図６は、操作受付部３０１が“家電モニター”ボタン４２２の押下を受け付けた場合に表示する家電毎の消費電力を表したアニメーションの表示例を示した図である。図６に示される画面例では、“分電盤モニター”ボタン６２１と、“家電モニター”ボタン６２２と、設定ボタン４５１と、が配置されている。図６に示される画面例では、表示欄６０１に、情報表示装置１００が通信を行った家電機器毎の消費電力が示されている。
【００３９】
具体的には、表示欄６０１には、Ｂｌｕｅｔｏｏｔｈ（登録商標）やＷｉ−Ｆｉ（例えば、IEEE802.11b/g/n、IEEE802.15.4）等の無線通信を行った家電機器毎の消費電力が示されている。図６に示される例では、家電機器毎に、家電機器を表すアイコンと、家電機器が設けられた部屋と、家電機器の動作状態と、家電機器の消費電力を表したアニメーション表示と、消費電力の数値と、が示されている。
【００４０】
例えば、１つの表示項目に、エアコンを示すアイコン６１１と、“リビング”と、動作状態“自動”６１２と、エアコンの消費電力を表した丸形アイコンのアニメーション表示６１３と、消費電力の数値“１０ｗ”と、が表示される。なお、丸形アイコンは、図５と同様の回転が行われるものとする。ただし、速度が切り替わる消費電力は、図５で示した基準と異ならせている。
【００４１】
他の例としては、１つの表示項目に、照明を示すアイコン６１４と、“リビング”と、動作状態“点灯”６１５と、エアコンの消費電力を表したアニメーション表示６１６と、が示されている。家電機器が照明の場合、消費電力が非表示となる。照明の消費電力は状況に応じて変化せず、且つ電力の消費量が他の家電機器と比べて小さいため、照明が電力を消費しているか否かを認識できれば十分なためである。
【００４２】
このように、表示制御部３０４は、家電機器毎に消費電力を表すアニメーションと共に消費電力値を表示する際に、所定の家電機器についてアニメーションのみ表示し、消費電力値を表示しないよう制御を行う。
【００４３】
さらに、図６に示される表示画面から、家電機器を制御可能としても良い。例えば、操作受付部３０１が、エアコンの動作状態６１２の押下や、照明の動作状態６１５の押下を受け付けた場合に、情報表示装置１００は、各家電機器の動作状態を切り替える制御を行う。さらに、操作受付部３０１が、“ぜんぶオフ”６０２ボタンの押下を受け付けた場合に、情報表示装置１００は、表示欄６０１に示されている全ての家電機器の動作をオフにする制御を行う。
【００４４】
また、図４に示される表示欄４０２のアニメーション表示と、図６に示される表示画面の表示欄６０１のアニメーション表示と、では、回転速度の基準となる消費電力を異ならせている。例えば、図４に示される表示欄４０２では、消費電力が１０ｗ以上の場合に、丸形アイコンの回転アニメーションが開始されるが、図６に示される表示欄６０１では、消費電力が０ｗより大きい場合に、丸形アイコンの回転アニメーションが開始される。このように、本実施形態は、消費電力の計測対象に応じて、丸形アイコンの回転速度の基準を異ならせている。
【００４５】
また、図６に示されるアニメーション表示でも、消費電力に応じてアイコン画像の色や形を変更してもよい。
【００４６】
また、回転速度は、各家電機器の標準的な消費電力と実際の消費電力との相対的な差に応じて、丸型のアイコン画像を回転アニメーションさせてもよい。各家電機器の標準的な消費電力より実際の消費電力が小さければ回転速度を遅くし、大きければ早くすることで、使用している家電機器が、標準的な消費電力よりどの程度電力を消費しているか、もしくは省エネできているかを視覚的に認識することができる。
【００４７】
情報表示装置１００が、図４及び図６で示された表示画面を表示するためには、ユーザが、家電機器や部屋に関する情報を設定しておく必要がある。本実施形態では、ユーザが、図４又は図６で示された表示画面から設定ボタン４５１の押下を受け付けた場合に設定画面が表示される。
【００４８】
図７は、操作受付部３０１が、図６で示された表示画面から、設定ボタン４５１の押下を受け付けた場合に表示する、機器設定画面の例を示した図である。図６に示される画面例では、検索ボタンで検索された家電機器毎に、ユーザが手動で設定を行うものとする。なお、本実施形態では、家電機器の検索にＥＣＨＯＮＥＴ  Ｌｉｔｅ通信プロトコルを用いるものとして、説明を省略する。
【００４９】
そして、検索が行われた結果、表示制御部３０４は、検索された家電機器の種類（例えばアイコン）、家電機器の型名（例えば“ＬＬＴ−ＬＴ２”７０２）、及び家電機器の機器アドレス（例えば、“xx:xx:xx:xx:xx:Ａ３”７０１）を対応付けて表示する。そして、操作受付部３０１が、ユーザから、検索された家電機器の設置場所７０３の入力を受け付ける。また、当該家電機器を非表示にしたい場合、ユーザは削除ボタン７０４を押下すれば良い。
【００５０】
図７に示される例では、情報表示装置１００が通信可能な家電機器を設定するための“機器設定”項目７２１の場合について説明した。また、“分岐ブレーカー設定”項目７２２が選択された場合、操作受付部３０１は、分電盤１６０ａの分岐ブレーカー毎に、部屋や家電機器の設定を受け付ける。
【００５１】
また、操作受付部３０１が、エネルギーモニターボタン７１１の押下を受け付けた場合、表示制御部３０４が、図６に示される表示画面を表示する。
【００５２】
次に、本実施形態にかかる情報表示装置１００及びエネルギー計測装置１６０ｂにおける、消費電力を表示するまでの処理について説明する。図８は、本実施形態にかかる情報表示装置１００及びエネルギー計測装置１６０ｂにおける上述した処理の手順を示すフローチャートである。
【００５３】
まず、情報表示装置１００の送信制御部３０２が、消費電力取得要求を、エネルギー計測装置１６０ｂに送信する（ステップＳ８０１）。
【００５４】
エネルギー計測装置１６０ｂは、情報表示装置１００から消費電力取得要求を受信した場合に、分電盤１６０ａの分岐ブレーカー毎の消費電力の測定値を、消費電力取得応答として、情報表示装置１００に送信する（ステップＳ８０２）。
【００５５】
そして、情報表示装置１００は、エネルギー計測装置１６０ｂから消費電力取得応答を受信した場合に、取得した消費電力に基づいた回転アニメーションを行うよう、アニメーション表示を切り替える（ステップＳ８０３）。
【００５６】
本実施形態の情報表示装置１００は、消費電力の取得要求を定期的に行うことで、分電盤１６０ａの分岐ブレーカー単位の消費電力をリアルタイムにアニメーション表示できる。取得要求を行う間隔は、実施の態様に応じて適切な間隔が設定されれば良く、例えば３０秒単位などが考えられる。
【００５７】
次に、本実施形態にかかる情報表示装置１００及び家電機器１５１、１５２における、消費電力を表示するまでの処理について説明する。図９は、本実施形態にかかる情報表示装置１００及び家電機器１５１、１５２における上述した処理の手順を示すフローチャートである。
【００５８】
まず、情報表示装置１００の送信制御部３０２が、消費電力取得要求を、第１の家電機器（例えば空調装置）１５１に送信する（ステップＳ９０１）。
【００５９】
第１の家電機器（例えば空調装置）１５１は、情報表示装置１００から消費電力取得要求を受信した場合に、現在使用している消費電力値を、消費電力取得応答として、情報表示装置１００に送信する（ステップＳ９０２）。
【００６０】
同様に、情報表示装置１００の送信制御部３０２が、消費電力取得要求を、第２の家電機器（例えば照明機器）１５２に送信する（ステップＳ９０３）。
【００６１】
第２の家電機器（例えば照明機器）１５２は、情報表示装置１００から消費電力取得要求を受信した場合に、現在使用している消費電力値を、消費電力取得応答として、情報表示装置１００に送信する（ステップＳ９０４）。
【００６２】
そして、情報表示装置１００は、第１の家電機器（例えば空調装置）１５１及び第２の家電機器（例えば照明機器）１５２から消費電力取得応答を受信した場合に、取得した消費電力に基づいた回転アニメーションを行うよう、アニメーション表示を切り替える（ステップＳ９０５）。
【００６３】
さらに、情報表示装置１００は、第１の家電機器（例えば空調装置）１５１から、動作状態の変化通知を受信する（ステップＳ９０６）。また、情報表示装置１００は、第２の家電機器（例えば照明機器）１５２から、動作状態の変化通知を受信する（ステップＳ９０７）。
【００６４】
このように、本実施形態では、情報表示装置１００は定期的に消費電力の取得要求を行うことで、アニメーション表示を更新しているが、第１の家電機器（例えば空調装置）１５１及び第２の家電機器（例えば照明機器）１５２で動作状態が変更された場合に、その旨の通知が行われる。また、動作状態変化通知には、変化した後の状態を示した情報（例えば、電源ＯＦＦ）を含むほか、消費電力を示す情報も含まれている。
【００６５】
そして、情報表示装置１００は、第１の家電機器（例えば空調装置）１５１及び第２の家電機器（例えば照明機器）１５２から動作状態変化通知を受信した場合に、取得した消費電力に基づいた回転アニメーションを行うよう、アニメーション表示を切り替える（ステップＳ９０８）。
【００６６】
上述した処理手順により、情報表示装置１００は、第１の家電機器（例えば空調装置）１５１及び第２の家電機器（例えば照明機器）１５２の消費電力のアニメーション表示を実現できる。さらに、情報表示装置１００は、第１の家電機器（例えば空調装置）１５１及び第２の家電機器（例えば照明機器）１５２の動作状態が変化した際に、すぐに変化後の動作状態の表示と、変化後の動作状態に応じた消費電力のアニメーション表示とを、実現できる。
【００６７】
本実施形態では、消費電力の取得先が、分電盤１６０ａに設けられたエネルギー計測装置１６０ｂと、通信可能な家電機器１５１、１５２と、の例について説明したが、消費電力が取得できれば取得先を制限するものではない。
【００６８】
上述した実施形態の情報表示装置１００は、電子機器毎や部屋毎の消費電力の表示として、回転アニメーションする画像データを用いることとした。その際に、消費電力に応じて回転アニメーションの速度を段階的に切り替えることで、消費電力の大小を表すこととした。例えば、消費電力が大きい場合に回転速度を速くし、消費電力が小さい場合に回転速度を遅くすることで、ユーザは、消費電力を直感的に認識できる。
【００６９】
本実施形態の情報表示装置１００は、消費電力の絶対値に基づいて、回転アニメーションの速度を変化させる例について説明したが、絶対値に基づいて回転アニメーションの速度を変化させることに制限するものではない。例えば、情報表示装置１００の表示制御部３０４が、電子機器や部屋の標準的な消費電力と実際の消費電力の相対的な差に応じて、回転アニメーションの速度を変化させてもよい。
【００７０】
本実施形態の情報表示装置１００は、部屋や電子機器の消費電力に応じて、回転アニメーションの速度を変化させることで、ユーザが容易に消費電力を認識できる。
【００７１】
本実施形態の情報表示装置１００で実行される情報表示アプリケーション３００は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７２】
また、本実施形態の情報表示装置１００で実行される情報表示アプリケーション３００を、インターネット等のネットワークに接続されたコンピュータ上に格納し、ネットワーク経由でダウンロードさせることにより提供するように構成しても良い。また、本実施形態の情報表示装置１００で実行される情報表示アプリケーション３００をインターネット等のネットワーク経由で提供または配布するように構成しても良い。
【００７３】
また、本実施形態の情報表示アプリケーション３００を、ＲＯＭ等に予め組み込んで提供するように構成してもよい。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１００…情報表示装置、１５１…空調装置、１５２…照明機器、１６０ａ…分電盤、１６０ｂ…エネルギー計測装置、２０１…ＣＰＵ、２０２…システムコントローラ、２０３…グラフィックスコントローラ、２０４…タッチパネルコントローラ、２０５…不揮発性メモリ、２０６…ＲＡＭ、２０７…音声処理部、２０８…表示装置、２１１…接続部、２１２…無線通信Ｉ／Ｆ、２１３…電源回路、２２１…タッチパネル、２２２…表示画面、３００…情報表示アプリケーション、３０１…操作受付部、３０２…送信制御部、３０３…受信制御部、３０４…表示制御部
【図１】
2015046981.tif 000003
【図２】
2015046981.tif 000004
【図３】
2015046981.tif 000005
【図４】
2015046981.tif 000006
【図５】
2015046981.tif 000007
【図６】
2015046981.tif 000008
【図７】
2015046981.tif 000009
【図８】
2015046981.tif 000010
【図９】
2015046981.tif 000011